(57)【要約】【課題】電子部品を収容するケースの取り付け位置及び前記ケースのサイズを少ない費用で変更する。【解決手段】取り付け板３００には、当該第１及び第２のスリット３０１、３０２のそれぞれの両脇に沿って複数の雌ネジ部３０３−１、３０３−２…３０３−８、３０４−１、３０４−２…３０４−８、３０５−１、３０５−２…３０５−８、３０６−１、３０６−２…３０６−８の列が形成されている。前記第１乃至第４のネジ止め部材３５１、３５２、３５３、３５４を第１乃至第８のネジ４０１、４０２…４０８によりネジ止め固定する取り付け板３００の雌ネジ部を、遊技機用基板ケース２５０の取り付け位置に合わせて選択することで、遊技機用基板ケース２５０の取り付け板３００に対する取り付け位置を少ない費用で変更することができる。【選択図】  図４
2007135826.tif 000002
【特許請求の範囲】
【請求項１】
六面の板状部により囲まれるケース内部に電子部品を収容するとともに、前記六面の板状部の内一面の板状部の四隅近傍からケース外側に突出して第１乃至第４のブラケットが設けられたケースと、
第１及び第２のスリットが平行に形成されるとともに、当該第１及び第２のスリットのそれぞれの両脇に沿って複数の雌ネジ部の列が形成され、遊技機に配設される取り付け板と、
板状に形成され、前記第１のスリットの両脇に形成された雌ネジ部の列の間隔と同じ間隔でその板面を貫通して一方及び他方の側のネジ部挿入孔が形成されるとともに、一方の板面にそれぞれ前記第１乃至第２のブラケットがネジ止めされるネジ止め部が形成され、他方の板面に前記第１のスリットに挿入される突起部が形成された第１及び第２のネジ止め部材と、
板状に形成され、前記第２のスリットの両脇に形成された雌ネジ部の列の間隔と同じ間隔でその板面を貫通して一方及び他方の側のネジ部挿入孔が形成されるとともに、一方の板面にそれぞれ前記第３乃至第４のブラケットがネジ止めされるネジ止め部が形成され、他方の板面に前記第２のスリットに挿入される突起部が形成された第３及び第４のネジ止め部材と、
そのネジ部が前記第１乃至第４のネジ止め部材の一方及び他方の側のネジ部挿入孔にそれぞれ挿入し、前記取り付け板のそれぞれ対応する前記雌ネジ部に螺入することで、前記第１乃至第４のネジ止め部材を取り付け板にネジ止め固定する第１乃至第８のネジとを備えることを特徴とする遊技機の組立調節機能付きケース装置。
【請求項２】
前記取り付け板は、前記第１及び第２のスリットの両脇に形成された前記雌ネジ部の列のいずれかの脇にさらに別の雌ネジ部の列が平行に形成されていることを特徴とする請求項１に記載の遊技機の組立調節機能付きケース装置。
【請求項３】
六面の板状部により囲まれるケース内部に電子部品を収容するとともに、前記六面の板状部の内一面の板状部の四隅近傍からケース外側に突出して第１乃至第４のブラケットが設けられたケースと、
第１及び第２のスリットが平行に形成されるとともに、当該第１及び第２のスリットのそれぞれの両脇に沿ってネジ螺入用長孔が形成され、遊技機に配設される取り付け板と、
板状に形成され、前記第１のスリットの両脇に形成されたネジ螺入用長孔の間隔と同じ間隔でその板面を貫通して一方及び他方の側のネジ部挿入孔が形成されるとともに、一方の板面にそれぞれ前記第１乃至第２のブラケットがネジ止めされるネジ止め部が形成され、他方の板面に前記第１のスリットに挿入される突起部が形成された第１及び第２のネジ止め部材と、
板状に形成され、前記第２のスリットの両脇に形成されたネジ部螺入用長孔の間隔と同じ間隔でその板面を貫通して一方及び他方の側のネジ部挿入孔が形成されるとともに、一方の板面にそれぞれ前記第３乃至第４のブラケットがネジ止めされるネジ止め部が形成され、他方の板面に前記第２のスリットに挿入される突起部が形成された第３及び第４のネジ止め部材と、
そのネジ部が前記第１乃至第４のネジ止め部材の一方及び他方の側のネジ部挿入孔にそれぞれ挿入し、前記取り付け板のそれぞれ対応する前記ネジ部螺入用長孔に螺入することで、前記第１乃至第４のネジ止め部材を取り付け板にネジ止め固定する第１乃至第８のネジとを備えることを特徴とする遊技機の組立調節機能付きケース装置。
【請求項４】
前記取り付け板は、前記第１及び第２のスリットの両脇に形成された前記ネジ部螺入用長孔のいずれかの脇にさらに別のネジ部螺入用長孔が平行に形成されていることを特徴とする請求項３に記載の遊技機の組立調節機能付きケース装置。
【発明の詳細な説明】
【技術分野】
【０００１】
本発明は、パチンコ機やスロットマシン等の遊技機において遊技機の作動を制御する制御基板や液晶パネル等の電子部品をケース内部に収容する遊技機の組立調節機能付きケース装置に関するものである。
【背景技術】
【０００２】
従来より、スロットマシンには各種の回路基板が搭載されている。このような回路基板としては、例えば特許文献１に記載されているように、遊技の進行等を制御しつつ抽選等を行うメイン制御基板、サウンドの出力や液晶表示ユニットの映像表示等の演出を制御するサブ制御基板、及び電源の供給制御を行う電源制御基板等が挙げられる。
【０００３】
またスロットマシンのメイン制御基板及びサブ制御基板は、正規の基板やＲＯＭを用い、それ以外の基板やＲＯＭの使用を禁止する必要がある。このためメイン制御基板及びサブ制御基板は、不正開放を防止する機構を設けた基板ケースに封入されている。
【０００４】
不正開放防止機構を設けた基板ケースの例としては、例えば特許文献２に記載されているように、ケース本体部材とケース蓋部材を備え、ケース本体部材にケース蓋部材を装着して形成されるケース内部に制御基板を収容する基板ケースにおいて、ケース本体部材にケース蓋部材を装着したときに外部から遮蔽される空間内で、本体側係合部が接続部材を介して蓋側係合部と係合するものが挙げられる。そして、このような本体側係合部と蓋側係合部を一旦係合させれば、この係合は外部から解除することが不可能であり、ケース蓋部材をケース本体部材から開放もしくは取り外すことが出来なくなる。
【０００５】
【特許文献１】特開２００３−３２５９１１号公報
【特許文献２】特開２００４−６５２８０号公報
【発明の開示】
【発明が解決しようとする課題】
【０００６】
上述した遊技機用基板ケース及びこれに収納される基板はスロットマシンが設計変更された場合にも同じサイズのものを使い続けた方コストを低く抑えることができるが、演出の高度化等の理由から基板のサイズを大きくせざるをえない場合があり、この場合には遊技機用基板ケースの形状変更を行うことになる。遊技機用基板ケースの形状が変更になると、このケースを取り付ける取り付けベースの形状変更を行うことになり、取り付けベースの金型を変更または改造する必要があり、この場合に多額のコストが必要になる等の問題が生じていた。また、スロットマシンの設計変更によりスピーカ、リール等の配置が変更される場合、ケースの取り付け位置を変更する必要が生じる場合があり、この場合にも取り付けベースの金型を変更または改造する必要があった。このような問題は液晶パネルやその他の電子部品を収納するケースについても同様である。
【０００７】
本発明は、こうした従来の問題に鑑みてなされたものであり、電子部品を収容するケースの取り付け位置及び前記ケースのサイズを少ない費用で変更することができる遊技機の組立調節機能付きケース装置を提供することを目的としている。
【課題を解決するための手段】
【０００８】
上述した課題を解決するため、請求項１に記載の発明は、遊技機の組立調節機能付きケース装置であって、六面の板状部により囲まれるケース内部に電子部品を収容するとともに、前記六面の板状部の内一面の板状部の四隅近傍からケース外側に突出して第１乃至第４のブラケットが設けられたケースと、第１及び第２のスリットが平行に形成されるとともに、当該第１及び第２のスリットのそれぞれの両脇に沿って複数の雌ネジ部の列が形成され、遊技機に配設される取り付け板と、板状に形成され、前記第１のスリットの両脇に形成された雌ネジ部の列の間隔と同じ間隔でその板面を貫通して一方及び他方の側のネジ部挿入孔が形成されるとともに、一方の板面にそれぞれ前記第１乃至第２のブラケットがネジ止めされるネジ止め部が形成され、他方の板面に前記第１のスリットに挿入される突起部が形成された第１及び第２のネジ止め部材と、板状に形成され、前記第２のスリットの両脇に形成された雌ネジ部の列の間隔と同じ間隔でその板面を貫通して一方及び他方の側のネジ部挿入孔が形成されるとともに、一方の板面にそれぞれ前記第３乃至第４のブラケットがネジ止めされるネジ止め部が形成され、他方の板面に前記第２のスリットに挿入される突起部が形成された第３及び第４のネジ止め部材と、そのネジ部が前記第１乃至第４のネジ止め部材の一方及び他方の側のネジ部挿入孔にそれぞれ挿入し、前記取り付け板のそれぞれ対応する前記雌ネジ部に螺入することで、前記第１乃至第４のネジ止め部材を取り付け板にネジ止め固定する第１乃至第８のネジとを備えることを特徴とする。
【０００９】
請求項２に記載の発明は、請求項１に記載の遊技機の組立調節機能付きケース装置であって、前記取り付け板は、前記第１及び第２のスリットの両脇に形成された前記雌ネジ部の列のいずれかの脇にさらに別の雌ネジ部の列が平行に形成されていることを特徴とする。
【００１０】
請求項３に記載の発明は、遊技機の組立調節機能付きケース装置であって、六面の板状部により囲まれるケース内部に電子部品を収容するとともに、前記六面の板状部の内一面の板状部の四隅近傍からケース外側に突出して第１乃至第４のブラケットが設けられたケースと、第１及び第２のスリットが平行に形成されるとともに、当該第１及び第２のスリットのそれぞれの両脇に沿ってネジ部螺入用長孔が形成され、遊技機に配設される取り付け板と、板状に形成され、前記第１のスリットの両脇に形成されたネジ部螺入用長孔の間隔と同じ間隔でその板面を貫通して一方及び他方の側のネジ部挿入孔が形成されるとともに、一方の板面にそれぞれ前記第１乃至第２のブラケットがネジ止めされるネジ止め部が形成され、他方の板面に前記第１のスリットに挿入される突起部が形成された第１及び第２のネジ止め部材と、板状に形成され、前記第２のスリットの両脇に形成されたネジ部螺入用長孔の間隔と同じ間隔でその板面を貫通して一方及び他方の側のネジ部挿入孔が形成されるとともに、一方の板面にそれぞれ前記第３乃至第４のブラケットがネジ止めされるネジ止め部が形成され、他方の板面に前記第２のスリットに挿入される突起部が形成された第３及び第４のネジ止め部材と、そのネジ部が前記第１乃至第４のネジ止め部材の一方及び他方の側のネジ部挿入孔にそれぞれ挿入し、前記取り付け板のそれぞれ対応する前記ネジ部螺入用長孔に螺入することで、前記第１乃至第４のネジ止め部材を取り付け板にネジ止め固定する第１乃至第８のネジとを備えることを特徴とする。
【００１１】
請求項４に記載の発明は、請求項３に記載の遊技機の組立調節機能付きケース装置であって、前記取り付け板は、前記第１及び第２のスリットの両脇に形成された前記ネジ部螺入用長孔のいずれかの脇にさらに別のネジ部螺入用長孔が平行に形成されていることを特徴とする。
【００１２】
請求項１に記載の遊技機の組立調節機能付きケース装置によれば、前記第１乃至第４のネジ止め部材を第１乃至第８のネジによりネジ止め固定する雌ネジ部を、ケースの取り付け位置及び取り付けるケースのサイズに合わせて選択することで、ケースの取り付け位置及び取り付けるケースのサイズを少ない費用で変更することができる。
【００１３】
請求項２に記載の遊技機の組立調節機能付きケース装置によれば、前記第１及び第２のスリットの両脇に形成された前記雌ネジ部の列のいずれかの脇にさらに別の雌ネジ部の列を平行に形成したことで、前記第１乃至第４のネジ止め部材を一方及び他方の側のネジ部挿入孔の間隔が異なるものに交換することが可能になり、前記第１乃至第４のネジ止め部材のネジ止め部の形成位置の選択幅が拡大し、取り付け可能なケースのサイズの選択幅を拡大することができる。
【００１４】
請求項３に記載の遊技機の組立調節機能付きケース装置によれば、前記第１乃至第４のネジ止め部材を第１乃至第８のネジによりネジ止め固定するネジ部螺入用長孔の位置を、ケースの取り付け位置及び取り付けるケースのサイズに合わせて選択することで、ケースの取り付け位置及び取り付けるケースのサイズを少ない費用で変更することができる。
【００１５】
請求項４に記載の遊技機の組立調節機能付きケース装置によれば、前記第１及び第２のスリットの両脇に形成された前記ネジ部螺入用長孔のいずれかの脇にさらに別のネジ部螺入用長孔を平行に形成したことで、前記第１乃至第４のネジ止め部材を一方及び他方の側のネジ部挿入孔の間隔が異なるものに交換することが可能になり、前記第１乃至第４のネジ止め部材のネジ止め部の形成位置の選択幅が拡大し、取り付け可能なケースのサイズの選択幅を拡大することができる。
【発明の効果】
【００１６】
本発明の遊技機の組立調節機能付きケース装置によれば、電子部品を収容するケースの取り付け位置及び前記ケースのサイズを少ない費用で変更することができ、遊技機の各部品の内部配置や大きさの変更による製造コストの増大を抑える等を行える。
【発明を実施するための最良の形態】
【００１７】
以下、本発明に係る遊技機の組立調節機能付きケース装置の好適な一実施形態をスロットマシンを例に図面を参照して説明する。なお、図１はスロットマシン１の外観構造を表した斜視図である。図２は前扉３を開放した状態におけるスロットマシン１の内部構造を表した図である。図３はスロットマシン１の制御システムを表したブロック図である。
【００１８】
図１において、スロットマシン１は、略矩形状の箱体である筐体２と、当該筐体２と蝶番機構により開閉可能に取り付けられた前扉３とを備えている。
【００１９】
前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダル（遊技媒体）を貯留する受皿部６ａが一体的に形成された受皿ユニット６が設けられている。
【００２０】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及び受皿ユニット６は、遊技者側に面し、これらによって「前面パネル部」が構成される。
【００２１】
上部パネル部４の中央には、硬質プラスチック板等で形成されたパネル面４１が設けられている。パネル面４１のほぼ中央には略長方形の透明な表示窓４２が形成され、表示窓４２を通して筐体２内に設けられているリールユニット１００の３個のリール１０１ａ、１０１ｂ、１０１ｃが目視される。
【００２２】
ここで、筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールに描かれたそれぞれ上下方向３個の図柄を目視できるようになっている。
【００２３】
また、パネル面４１には、裏面側に設けられている図示しないランプを点灯させることで例えば入賞役への内部当選など遊技状態に関する情報を演出表示する遊技状態表示部４３と、複数の発光ダイオードを点灯させてドット画像を演出表示するドットマトリクス表示部４４と、スロットマシン１にクレジット（貯留）されているメダル数や、入賞によって獲得したメダル数、又は入賞役への当選回数等の情報を数値表示する数値情報表示部４５が、それぞれ表示窓４２の周辺に設けられている。
【００２４】
上部パネル部４の上部には、高輝度発光ダイオード等のランプ類を内蔵する演出用照明部４６と、ゲームに係る効果音を発生させるスピーカを内蔵する演出用放音部４７ａ、４７ｂが配置されている。
【００２５】
また、演出用放音部４７ａ、４７ｂの間には、透明な硬質プラスチック板等が嵌め込まれて形成された表示窓４８ａに面して遊技機の演出装置として液晶表示装置４８が配置されている。なお、液晶表示装置４８は、ゲームの演出に係る映像やゲーム（遊技）に関する情報を主に表示する。
【００２６】
上部パネル部４の側部には、蛍光灯や高輝度発光ダイオードで形成された演出用照明部４９ａ、４９ｂが設けられている。ゲームの進行に応じて上述した複数の演出用照明部４６、４９ａ、４９ｂ等が点灯又は点滅することで、ゲームにおける視覚的な演出効果を高めるように形成されている。
【００２７】
操作卓７の上面右側には、メダルを投入するためのメダル投入口７１ａを有するメダル投入部７１が設けられている。また、当該上面の左側には、押しボタンスイッチである３個のベットボタン７２、７３、７４が設けられている。
【００２８】
ベットボタン７２、７３、７４はスロットマシンの１ゲームに賭けるメダルの枚数を提示するためのボタンスイッチである。ゲームを開始する際に、ベットボタン７２が押圧操作されることで、貯留されているメダルから１枚のメダルがゲームに対して賭けられる。同様に、ベットボタン７３が押圧操作されることで２枚のメダルが賭けられ、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００２９】
操作卓７の前面左側には、リール１０１ａ、１０１ｂ、１０１ｃの回転開始を指示するためのスタートレバー７５が設けられている。スタートレバー７５は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。
【００３０】
また、操作卓７の中央には、各リール１０１ａ、１０１ｂ、１０１ｃの回転停止をそれぞれ指示するためのストップボタン７６ａ、７６ｂ、７６ｃが各リールの配列に対応して並設されている。
【００３１】
さらに、操作卓７の前面の左隅には、ゲームに賭けられたメダルをキャンセルして払い出させることを指示するとともに、後述するメダルクレジット手段２１０（図３参照）が内部貯留したメダルを精算して払い出させることを指示するための精算ボタン７７が設けられている。
【００３２】
操作卓７の前面右側には、前扉３を開錠するための鍵が挿入される鍵穴７８が設けられている。スロットマシン１の管理者等が鍵穴７８に所定の鍵を挿入して開錠操作すると、蝶番機構によって筐体２に取り付けられている前扉３を前方へ開くことができ、また前扉３を筐体２側に閉じると、自動的にこれらを施錠するようになっている。
【００３３】
下部パネル部５には、スロットマシン１のモデルタイプを遊技者へ認識させる等のため、登場キャラクターの絵などを表示するパネル５１が設けられている。下部パネル部５の下側に配置された受皿ユニット６には、入賞時にメダルを排出するメダル払出口６１と、払い出されたメダルを貯留する受皿部６ａと、演出効果音を発生させるスピーカを内蔵する演出用放音部６２がそれぞれ配置されている。
【００３４】
次に、図２を参照して、筐体２の内部構造と前扉３の裏面構造とを説明する。
【００３５】
図２において、筐体２内の上部には、スロットマシン１の全体動作を集中制御するＣＰＵ（マイコン）を備え硬質プラスチックのケースに収納された主制御基板２０が取り付けられている。
【００３６】
筐体２内の中央には、リール１０１ａ、１０１ｂ、１０１ｃを備えるリールユニット１００が設けられている。リールユニット１００は、前扉３が筐体２側に閉じられると前扉３の表示窓４２にリール１０１ａ、１０１ｂ、１０１ｃが対向するように、所定フレームに位置決めされて取り付けられている。なお、各リール１０１ａ、１０１ｂ、１０１ｃは、それぞれに内蔵されたステッピングモータによって回転駆動される。
【００３７】
また、リールユニット１００の上部には、各リールを回転駆動する上記ステッピングモータへ４相の駆動パルス信号を送出する回胴装置基板が取り付けられており、主制御基板２０が回胴装置基板に回胴駆動（励磁）パルスデータを送出することで、各リールの回転と制動及び停止の制御を行っている。
【００３８】
リールユニット１００の下方には、ホッパ装置２１と、ホッパ装置２１から溢れたメダルを収容するための補助貯留部２２と、主電源装置２３が設けられている。主電源装置２３の側面には、いわゆる配電盤に相当する電源装置基板２４が設けられている。更に、筐体２の上部右側の内壁に、遊技場に設置されている「ホールコンピュータ」と呼ばれる管理用コンピュータと接続可能な外部集中端子基板２５が取り付けられている。
【００３９】
次に、前扉３の裏面側上部には、演出用照明部４６の光源である高輝度の発光ダイオード３１が複数配列されると共に、上述の演出用放音部４７ａ、４７ｂに対向してスピーカ３２ａ、３２ｂが取り付けられている。また、スピーカ３２ａ、３２ｂの間には、液晶表示装置４８が取り付けられている。更に、液晶表示装置４８の裏面側には、本実施形態の要部となる取り付け板３００を介して遊技機用基板ユニット１０が取り付けられている。遊技機用基板ユニット１０は、硬質プラスチックの遊技機用基板ケース２５０に、電気回路基板で形成されたサブ制御基板３０を収納したものである。取り付け板３００及び遊技機用基板ケース２５０は、後述の組立調節機能付きケース装置１１（図４参照）を構成している。
【００４０】
主制御基板２０及びサブ制御基板３０は、スロットマシン１の作動を制御する制御基板である。
【００４１】
なお、スロットマシン１全体の動作は、筐体２側に設けられている主制御基板２０によって統括制御されており、サブ制御基板３０は、液晶表示装置４８による演出映像の表示制御、及び演出用放音部４７ａ、４７ｂ、６２を使った演出効果音制御など、ゲームの演出に係る制御を主に行っている。
【００４２】
サブ制御基板３０の下方には、リール１０１ａ、１０１ｂ、１０１ｃを目視させるための透明な表示窓４２が形成されたパネル板が配置され、表示窓４２の下方には、前面側のスタートレバー７５（図１参照）及びストップボタン７６ａ、７６ｂ、７６ｃ（図１参照）等の操作スイッチ類の出力信号を主制御基板２０へ転送する中継基板として機能する中央表示基板３３が設けられている。
【００４３】
中央表示基板３３の下方には、メダル選別装置３４が取り付けられている。メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００４４】
メダル選別装置３４の装置本体の下方には、メダル選別装置３４によって振り分けられた正規のメダルを筐体２内に設けられているホッパ装置２１へ案内するガイド部材３５と、メダル選別装置３４により排除されたメダル（又は異物）をメダル排出口６１へ案内するガイド部材３６が設けられている。また、前扉３の裏面側下部には、ホッパ装置２１から排出されたメダルをメダル排出口６１へ案内するガイド部材３７が設けられている。更に、メダル排出口６１に隣接して、上述した演出用放音部６２に対向するスピーカ３８が取り付けられている。
【００４５】
次に、図３のブロック図を参照して、スロットマシン１に設けられている制御システムについて説明する。
図３において、主制御基板２０は、ＣＰＵ２００と、記憶部２０１と、メダルクレジット手段２１０とを備えている。
【００４６】
記憶部２０１は、ＲＯＭ、ＲＡＭ等の半導体メモリによって構成され、スロットマシンゲーム用のシステムプログラム２０２が予め記憶されている。主制御基板２０は、記憶部２０１に記憶されたシステムプログラム２０２に従ってＣＰＵ２００が演算処理を実行することで、スロットマシン１全体の動作を統括制御している。メダルクレジット手段２１０は、内部貯留するメダルの数であるクレジットをメモリに記憶する。
【００４７】
主制御基板２０には、ベットボタン７２、７３、７４、スタートレバー７５、ストップボタン７６ａ、７６ｂ、７６ｃ、精算ボタン７７等の操作スイッチ類、メダル選別装置３４のメダルセンサ３４ａ、ホッパ装置２１等のメダル払出装置、及びサブ制御基板３０等が配線ケーブルで接続されている。
【００４８】
主制御基板２０は、前記操作スイッチ類やメダル選別装置３４のメダルセンサ３４ａからの出力信号によりゲームに係る操作を検出する。
【００４９】
主制御基板２０は、動作モードがメダルベット待機状態となっている場合において、メダルセンサ３４ａがメダルを検出した場合、検出したメダルをゲームの賭数に加算する。
【００５０】
また、主制御基板２０は、動作モードがメダルクレジット入力待機状態となっている場合において、メダルセンサ３４ａがメダルを検出した場合、検出したメダルをメダルクレジット手段２１０のクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、メダルクレジット手段２１０の前記クレジット数が最大値（５０）になるまでの状態のことを示している。
【００５１】
主制御基板２０は、各リール１０１ａ、１０１ｂ、１０１ｃに設けられる基準位置センサ１２０ａ、１２０ｂ、１２０ｃの検出信号を入力し、各リールの基準となる回転位置を把握しながら、回胴装置基板１３０に所定の回胴駆動パルスデータを送出する。回胴装置基板１３０は、主制御基板２０からの回胴駆動パルスデータに従って各ステッピングモータ１１０ａ、１１０ｂ、１１０ｃを回転駆動することで、各リール１０１ａ、１０１ｂ、１０１ｃの回転及び停止の動作制御を行っている。
【００５２】
主制御基板２０は、入賞が確定した場合等において、ホッパ装置２１を制御することで、所定数のメダルを受皿部６ａ（図１参照）に払い出す。
【００５３】
また、主制御基板２０は、精算ボタン７７が操作された場合、ゲームに賭けられたメダルをキャンセルしてホッパ装置２１に払い出させるとともに、メダルクレジット手段２１０が内部貯留したメダルを精算してホッパ装置２１に精算前のクレジット数のメダルを払い出させる。
【００５４】
サブ制御基板３０は、主制御基板２０からの制御信号に基づいて液晶表示装置４８（図１参照）、演出用照明部４６、４９ａ、４９ｂ（図１参照）、演出用放音部４７ａ、４７ｂ、６２（図１参照）等の演出装置２３０を制御駆動することで、遊技者の視覚や聴覚に訴える演出をゲームの進行に応じて行っている。
【００５５】
一方、主制御基板２０の記憶部２０１には、入賞抽選テーブル２０３及び内部抽選フラグ２０４が記憶されている。例えばＣＰＵ２００は、スタートレバー７５の操作を検出した時点で図示しない乱数発生装置から乱数値を取得し、入賞抽選テーブル２０３を参照することで、得られた乱数値に割り当てられた入賞役またはハズレを抽選する。そして、ＣＰＵ２００は、乱数値に対応する入賞役が存在すると、それを当該ゲームの入賞役として抽選結果を当選にし、当該入賞役を記憶部２０１の内部抽選フラグ２０４に記憶する。ここでは、かかる入賞役の抽選方法を「内部抽選」と呼んでいる。
【００５６】
次に、スロットマシン１におけるゲーム動作の概要を説明する。
スロットマシン１は、先のゲームにおいて入賞しメダルの配当が完了した時、又は先のゲームにおいてハズレが確定すると待機状態となる。この待機状態においては、当該状態を遊技者に示唆するとともにゲーム操作を促す待機モードの演出が行われる。次に、遊技者がメダル投入部７１にメダルを投入し、もしくは、何れかのベットボタン７２、７３、７４を押圧操作することで、スロットマシン１は、内部に貯留したメダル（クレジット）から当該ゲームに所定枚数のメダルが賭けられゲームを準備する。
【００５７】
ゲーム準備の状態でスタートレバー７５が傾倒操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ２０４に記憶される。
【００５８】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ２０４に対応する入賞役に係る図柄の組合せとが一致しているかどうか判定する。
【００５９】
これら図柄の組合せが一致し役への入賞が確定すると、スロットマシン１は、主制御基板２０によりメダルクレジット手段２１０の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルを受皿部６ａへ払い出す。
【００６０】
次に、図４乃至図２１を参照して本実施形態の要部となる組立調節機能付きケース装置１１について説明する。
図４はスロットマシン１（図２参照）の背面側から見た組立調節機能付きケース装置１１の分解斜視図である。図５はスロットマシン１の前面側から見た組立調節機能付きケース装置１１の分解斜視図である。図６はネジ止め部材の背面図である。図７はネジ止め部材の上面図である。図８はネジ止め部材の側面図である。図９はスロットマシン１（図２参照）の背面側から見た組立調節機能付きケース装置１１の組み立てた状態の斜視図である。図１０は組立調節機能付きケース装置１１の組み立てた状態の背面図である。図１１は組立調節機能付きケース装置１１の組み立てた状態の上面図である。図１２は組立調節機能付きケース装置１１の組み立てた状態の側面図である。図１３は図７のＡ−Ａ線断面図である。図１４は組立調節機能付きケース装置１１の第１の型の遊技機用基板ユニット１０を取り付け板３００の上側の位置に取り付けた状態の背面図である。図１５は組立調節機能付きケース装置１１の第１の型の遊技機用基板ユニット１０を取り付け板３００の上側の位置に取り付けた状態の側面図である。図１６は図１４のＢ−Ｂ線断面図である。
【００６１】
尚、図４乃至図１６を用いた説明において、各部材の左側及び右側はそれぞれスロットマシン１の前面側から見た場合の左側及び右側を示しており、背面側から見た図４、図６、図９、図１０、図１４では、図面に向かって左側が各部材の右側になっている。
【００６２】
図４及び図５において、組立調節機能付きケース装置１１は、遊技機用基板ケース２５０と、取り付け板３００と、第１及び第４のネジ止め部材３５１、３５２、３５３、３５４と、第１乃至第１２のネジ４０１、４０２…４１２とを備えている。
【００６３】
遊技機用基板ケース２５０は、六面の板状部２５１、２５２、２５３、２５４、２５５、２５６により囲まれるケース内部に電子部品としてのサブ制御基板３０を収容するとともに、前記六面の板状部２５１、２５２…２５６の内一面の板状部２５１の四隅近傍からケース外側に突出して第１乃至第４のブラケット２６１、２６２、２６３、２６４が設けられている。
【００６４】
さらに詳細に説明すると、遊技機用基板ケース２５０は、ケース本体部材２７１と、ケース蓋部材２７２とを備えている。
【００６５】
ケース本体部材２７１は、平面部としての板状部２５１及び四面の側壁２５３ａ、２５４ａ、２５５ａ、２５６ａを有して一面側が開口し、この開口にサブ制御基板３０を収納するように形成されている。また、ケース本体部材２７１は、側壁２５５ａに第１及び第２のブラケット２６１、２６２が側方に突出して形成され、側壁２５６ａに第３及び第４のブラケット２６３、２６４が側方に突出して形成されている。第１乃至第４のブラケット２６１、２６２、２６３、２６４には、それぞれネジ４０９、４１０、４１１、４１２のネジ部が挿入される貫通孔２６１ａ、２６２ａ、２６３ａ、２６４ａがそれぞれ形成されている。
【００６６】
ケース蓋部材２７２は、平面部としての板状部２５２及び四面の側壁２５３ｂ、２５４ｂ、２５５ｂ、２５６ｂを有して一面側が開口し、その開口側を前記ケース本体部材２７１の前記開口側に向かい合わせた状態で当該ケース本体部材２７１に装着される。
【００６７】
四面の側壁２５３ａ、２５４ａ、２５５ａ、２５６ａは、それぞれ四面の側壁２５３ｂ、２５４ｂ、２５５ｂ、２５６ｂと共にそれぞれ前記板状部２５３、２５４、２５５、２５６を構成している。
【００６８】
また、板状部２５５、２５６には、サブ制御基板３０の基板側コネクタ２８３、２８４を露出させる開口部２８１、２８２が形成されている。
【００６９】
一方、取り付け板３００には、上下方向に延びる第１及び第２のスリット３０１、３０２が左右に並べて平行に形成されている。また、取り付け板３００には、当該第１及び第２のスリット３０１、３０２のそれぞれの両脇に沿って複数の雌ネジ部３０３−１、３０３−２…３０３−８、３０４−１、３０４−２…３０４−８、３０５−１、３０５−２…３０５−８、３０６−１、３０６−２…３０６−８の列が形成されている。第１のスリット３０１の右脇に形成された雌ネジ部３０４−１、３０４−２…３０４−８の列の右脇には、さらに別の雌ネジ部３０７−１、３０７−２…３０７−８の列が平行に形成されている。第２のスリット３０２の左脇に形成された雌ネジ部３０５−１、３０５−２…３０５−８の列の左脇には、さらに別の雌ネジ部３０８−１、３０８−２…３０８−８の列が平行に形成されている。
【００７０】
また取り付け板３００には、四隅近傍にネジのネジ部が挿入されるネジ部挿入孔３０９ａ、３０９ｂ、３０９ｃ、３０９ｄが形成されており、これらネジ部挿入孔３０９ａ、３０９ｂ、３０９ｃ、３０９ｄによりスロットマシン１（図２参照）の筐体内における液晶表示パネル４８（図２参照）の裏面側にネジ止め固定するようになっている。
【００７１】
図５において、取り付け板３００の前面には、雌ネジ部３０３−１…３０８−８に対応する位置に突起部３１０が形成されており、突起部３１０の軸に沿って雌ネジ部３０３−１…３０８−８が形成されている。
【００７２】
図４及び図５において、第１及び第２のネジ止め部材３５１、３５２は、板状に形成され、前記第１のスリット３０１の両脇に形成された雌ネジ部３０３−１、３０３−２…３０３−８、３０４−１、３０４−２…３０４−８の列の間隔と同じ間隔で板状部３５１ａ（図６乃至図８参照）、３５２ａの板面を貫通して一方及び他方の側のネジ部挿入孔３５１ｂ（図６参照）、３５１ｃ（図６参照）、３５２ｂ、３５２ｃが形成されている。板状部３５１ａ、３５２ａの一方の板面にはそれぞれ前記第１乃至第２のブラケット２６１、２６２がネジ４０９、４１０によりネジ止めされる突起状のネジ止め部３５１ｄ（図６乃至図８参照）、３５２ｄが形成されている。板状部３５１ａ、３５２ａの他方の板面には前記第１のスリット３０１に挿入される突起部３５１ｅ（図７及び図８参照）、３５２ｅがそれぞれ形成されている。
【００７３】
第３及び第４のネジ止め部材３５３、３５４は、板状に形成され、前記第２のスリット３０２の両脇に形成された雌ネジ部３０５−１、３０５−２…３０５−８、３０６−１、３０６−２…３０６−８の列の間隔と同じ間隔で板状部３５３ａ、３５４ａの板面を貫通して一方及び他方の側のネジ部挿入孔３５３ｂ、３５３ｃ、３５４ｂ、３５４ｃが形成されている。板状部３５３ａ、３５４ａの一方の板面にはそれぞれ前記第１乃至第２のブラケット２６３、２６４がネジ４１１、４１２によりネジ止めされるネジ止めされるネジ止め部３５３ｄ、３５４ｄが形成されている。板状部３５３ａ、３５４ａの他方の板面には前記第２のスリット３０２に挿入される突起部３５３ｅ、３５４ｅが形成されている。
【００７４】
図６乃至図８参照に示すように第１のネジ止め部材３５１のネジ止め部３５１ｄは、板状部３５１ａの一面から突出して形成された突起部３５１ｆにネジ４０９のネジ部が螺入されるネジ孔３５１ｇを形成したものである。ネジ止め部３５１ｄ及び突起部３５１ｅは、一方及び他方の側のネジ部挿入孔３５１ｂ、３５１ｃの間の略中央の位置に形成されている。
【００７５】
図４及び図５に示す第２乃至第４のネジ止め部材３５２、３５３、３５４のネジ止め部３５２ｄ、３５３ｄ、３５４ｄの構造も第１のネジ止め部材３５１のネジ止め部３５１ｄと同様になっており、ネジ４１０、４１１、４１２のネジ部が螺入されるネジ孔３５２ｇ、３５３ｇ、３５４ｇが形成されている。
【００７６】
図４及び図５において、第１乃至第８のネジ４０１、４０２…４０８は、そのネジ部が第１乃至第４のネジ止め部材３５１、３５２、３５３、３５４の一方及び他方の側のネジ部挿入孔３５１ｂ、３５１ｃ、３５２ｂ、３５２ｃ、３５３ｂ、３５３ｃ、３５４ｂ、３５４ｃに挿入し、前記取り付け板３００に形成された対応する前記雌ネジ部３０３−１、３０３−２…３０３−８、３０４−１、３０４−２…３０４−８、３０５−１、３０５−２…３０５−８、３０６−１、３０６−２…３０６−８に螺入することで前記第１乃至第４のネジ止め部材を取り付け板３００にネジ止め固定する。
【００７７】
以下、組立調節機能付きケース装置１１の組立方法について説明する。
図４及び図５において、まず、取り付け板３００に取り付ける遊技機用基板ケースとして第１の型の遊技機用基板ケース２５０を用い、遊技機用基板ケース２５０を取り付け板３００の下寄りの位置に取り付ける場合について説明する。
【００７８】
この場合、まず、第１のネジ止め部材３５１の突起部３５１ｅをスリット３０１に挿入し、第１のネジ止め部材３５１の貫通孔３５１ｂ、３５１ｃをそれぞれスリット３０１の両脇の上から４番目の雌ネジ部３０３−４、３０４−４に合わせ、ネジ４０１、４０２のネジ部をそれぞれ貫通孔３５１ｂ、３５１ｃに挿入し、それぞれ雌ネジ部３０３−４、３０４−４に螺入することで、上から４番目の雌ネジ部３０３−４、３０４−４に第１のネジ止め部材３５１をネジ止め固定する。
【００７９】
次に、第２のネジ止め部材３５２の突起部３５２ｅをスリット３０１に挿入し、第２のネジ止め部材３５２の貫通孔３５２ｂ、３５２ｃをそれぞれスリット３０１の両脇の下から２番目の雌ネジ部３０３−７、３０４−７に合わせ、ネジ４０３、４０４のネジ部をそれぞれ貫通孔３５２ｂ、３５２ｃに挿入し、それぞれ雌ネジ部３０３−７、３０４−７に螺入することで、雌ネジ部３０３−７、３０４−７に第２のネジ止め部材３５２をネジ止め固定する。
【００８０】
次に、第３のネジ止め部材３５３の突起部３５３ｅをスリット３０２に挿入し、第３のネジ止め部材３５３の貫通孔３５３ｂ、３５３ｃをそれぞれスリット３０２の両脇の上から４番目の雌ネジ部３０５−４、３０６−４に合わせ、ネジ４０５、４０６のネジ部をそれぞれ貫通孔３５３ｂ、３５３ｃに挿入し、それぞれ雌ネジ部３０５−３、３０６−３に螺入することで、上から４番目の雌ネジ部３０５−４、３０６−４に第３のネジ止め部材３５３をネジ止め固定する。
【００８１】
次に、第４のネジ止め部材３５４の突起部３５４ｅをスリット３０２に挿入し、第４のネジ止め部材３５４の貫通孔３５４ｂ、３５４ｃをそれぞれスリット３０２の両脇の下から２番目の雌ネジ部３０５−７、３０６−７に合わせ、ネジ４０３、４０４のネジ部をそれぞれ貫通孔３５４ｂ、３５４ｃに挿入し、それぞれ雌ネジ部３０３−７、３０６−７に螺入することで、雌ネジ部３０５−７、３０６−７に第４のネジ止め部材３５４をネジ止め固定する。
【００８２】
この後、ネジ４０９、４１０、４１１、４１２のネジ部を、それぞれ遊技機用基板ケース２５０の第１乃至第４のブラケット２６１、２６２、２６３、２６４の貫通孔２６１ａ、２６２ａ、２６３ａ、２６４ａに挿入し、それぞれ第１乃至第４のネジ止め部材３５１、３５２、３５３、３５４の貫通孔３５１ｇ、３５２ｇ、３５３ｇ、３５４ｇに螺入することで、第１乃至第４のネジ止め部材３５１、３５２、３５３、３５４に遊技機用基板ケース２５０の第１乃至第４のブラケット２６１、２６２、２６３、２６４をネジ４０９、４１０、４１１、４１２によりネジ止め固定する。
【００８３】
これにより、図９乃至図１３に示すように、取り付け板３００の下寄りの位置に遊技機用基板ケース２５０が固定される。
【００８４】
このような図９乃至図１３に示す状態で、取り付け板３００をネジ部挿入孔３０９ａ、３０９ｂ、３０９ｃ、３０９ｄを用いてよりスロットマシン１（図２参照）の筐体内における液晶表示パネル４８の裏面側にネジ止め固定する。
【００８５】
次に、遊技機用基板ケース２５０に形成された開口部２８１、２８２を介してサブ制御基板３０の基板側コネクタ２８３（図９参照）に主制御基板２０に対応するハーネスのコネクタを差し込んで結合させる。さらに、基板側コネクタ２８４（図５参照）についても、液晶表示パネル４８用、電源用等に対応するハーネスのコネクタを接続する。これにより、スロットマシン１を使用可能な状態にできる。
【００８６】
次に、取り付け板３００に取り付ける遊技機用基板ケースとして第１の型の遊技機用基板ケース２５０を用い、遊技機用基板ケース２５０を取り付け板３００の最も上側の位置に取り付ける場合について説明する。
【００８７】
この場合、まず、図４及び図５に示す第１のネジ止め部材３５１の突起部３５１ｅをスリット３０１に挿入し、第１のネジ止め部材３５１の貫通孔３５１ｂ、３５１ｃをそれぞれスリット３０１の両脇の上から１番目の雌ネジ部３０３−１、３０４−１に合わせ、ネジ４０１、４０２のネジ部をそれぞれ貫通孔３５１ｂ、３５１ｃに挿入し、それぞれ雌ネジ部３０３−１、３０４−１に螺入することで、上から１番目の雌ネジ部３０３−１、３０４−１に第１のネジ止め部材３５１をネジ止め固定する。
【００８８】
次に、第２のネジ止め部材３５２の突起部３５２ｅをスリット３０１に挿入し、第２のネジ止め部材３５２の貫通孔３５２ｂ、３５２ｃをそれぞれスリット３０１の両脇の上から４番目の雌ネジ部３０３−４、３０４−４に合わせ、ネジ４０３、４０４のネジ部をそれぞれ貫通孔３５２ｂ、３５２ｃに挿入し、それぞれ雌ネジ部３０３−４、３０４−４に螺入することで、雌ネジ部３０３−４、３０４−４に第２のネジ止め部材３５２をネジ止め固定する。
【００８９】
次に、第３のネジ止め部材３５３の突起部３５３ｅをスリット３０２に挿入し、第３のネジ止め部材３５３の貫通孔３５３ｂ、３５３ｃをそれぞれスリット３０２の両脇の上から１番目の雌ネジ部３０５−１、３０６−１に合わせ、ネジ４０５、４０６のネジ部をそれぞれ貫通孔３５３ｂ、３５３ｃに挿入し、それぞれ雌ネジ部３０５−１、３０６−１に螺入することで、上から１番目の雌ネジ部３０５−１、３０６−１に第３のネジ止め部材３５３をネジ止め固定する。
【００９０】
次に、第４のネジ止め部材３５４の突起部３５４ｅをスリット３０２に挿入し、第４のネジ止め部材３５４の貫通孔３５４ｂ、３５４ｃをそれぞれスリット３０２の両脇の上から４番目の雌ネジ部３０５−４、３０６−４に合わせ、ネジ４０７、４０８のネジ部をそれぞれ貫通孔３５４ｂ、３５４ｃに挿入し、それぞれ雌ネジ部３０５−４、３０６−４に螺入することで、雌ネジ部３０５−４、３０６−４に第４のネジ止め部材３５４をネジ止め固定する。
【００９１】
この後、第１乃至第４のネジ止め部材３５１、３５２、３５３、３５４にそれぞれ遊技機用基板ケース２５０の第１乃至第４のブラケット２６１、２６２、２６３、２６４をそれぞれネジ４０９、４１０、４１１、４１２によりネジ止め固定する。
【００９２】
これにより、図１４乃至図１６に示すように、取り付け板３００の最も上側の位置に遊技機用基板ケース２５０が固定される。
【００９３】
このような構成の組立調節機能付きケース装置１１によれば、前記第１乃至第４のネジ止め部材３５１、３５２、３５３、３５４を第１乃至第８のネジ４０１、４０２…４０８によりネジ止め固定する取り付け板３００の雌ネジ部を、遊技機用基板ケース２５０の取り付け位置に合わせて選択することで、遊技機用基板ケース２５０の取り付け板３００に対する取り付け位置を少ない費用で変更することができ、スロットマシンの設計変更によりスピーカ、リール等の各部品の内部配置や大きさの変更による製造コストの増大を抑えることができる。
【００９４】
以下、図１７乃至図２３を用いて図１乃至図１６に記した実施形態の第１の変形例を説明する。
図１７は組立調節機能付きケース装置５１１の第２の型の遊技機用基板ユニット５１０を取り付け板３００の下寄りの位置に取り付けた状態の背面図である。図１８は組立調節機能付きケース装置５１１の第２の型の遊技機用基板ユニット５１０を取り付け板３００の下寄りの位置に取り付けた状態の上面図である。図１９は組立調節機能付きケース装置５１１の第２の型の遊技機用基板ユニット５１０を取り付け板３００の下寄りの位置に取り付けた状態の側面図である。図２０は図１７のＣ−Ｃ線断面図である。図２１は組立調節機能付きケース装置５１１の第２の型の遊技機用基板ユニット５１０を取り付け板３００の上側の位置に取り付けた状態の背面図である。図２２は組立調節機能付きケース装置５１１の第２の型の遊技機用基板ユニット４１０を取り付け板３００の上側の位置に取り付けた状態の側面図である。図２３は図２１のＤ−Ｄ線断面図である。
【００９５】
尚、図１７乃至図２４を用いた説明において、各部材の左側及び右側はそれぞれスロットマシン１の前面側から見た場合の左側及び右側を示しており、背面側から見た図１７及び図２１では、図面に向かって左側が各部材の右側になっている。
【００９６】
図１７において、組立調節機能付きケース装置５１１は、遊技機用基板ユニットとして第２の型の遊技機用基板ユニット５１０を用いただけで、これ以外の構成は図４乃至図１６に示した組立調節機能付きケース装置１１と同様であり、同様の構成は同じ符号を付して説明を省略する。
【００９７】
組立調節機能付きケース装置５１１は、遊技機用基板ケース５５０と、取り付け板３００と、第１及び第４のネジ止め部材３５１、３５２、３５３、３５４と、第１乃至第１２のネジ４０１、４０２…４１２とを備えている。遊技機用基板ユニット５１０は、遊技機用基板ケース５５０及びこれに収納するサブ制御基板を図４乃至図１６に示した遊技機用基板ケース２５０及びサブ制御基板３０に比べて縦長に形成したものである。即ち、遊技機用基板ケース５５０は、上側のブラケット５６１、５６３から下側のブラケット５６２、５６４までの距離が図４乃至図１６に示した遊技機用基板ケース２５０よりも前記雌ネジ部の上下の一間隔分長くなっている。
【００９８】
以下、組立調節機能付きケース装置５１１の組立方法について説明する。
【００９９】
まず、取り付け板３００に取り付ける遊技機用基板ケースとして第２の型の遊技機用基板ケース５５０を用い、遊技機用基板ケース５５０を取り付け板３００の下寄りの位置に取り付ける場合について説明する。
【０１００】
この場合、まず、スリット３０１の両脇の上から３番目の雌ネジ部３０３−３、３０４−３に第１のネジ止め部材３５１をネジ止め固定する。
【０１０１】
次に、スリット３０１の両脇の下から２番目の雌ネジ部３０３−７、３０４−７に第２のネジ止め部材３５２をネジ止め固定する。
【０１０２】
次に、スリット３０２の両脇の上から３番目の雌ネジ部３０５−３、３０６−３に第３のネジ止め部材３５３をネジ止め固定する。
【０１０３】
次に、スリット３０２の両脇の下から２番目の雌ネジ部３０５−７、３０６−７に第４のネジ止め部材３５４をネジ止め固定する。
【０１０４】
この後、第１乃至第４のネジ止め部材３５１、３５２、３５３、３５４にそれぞれ図１７に示す遊技機用基板ケース５５０の第１乃至第４のブラケット２６１、２６２、２６３、２６４をそれぞれネジ４０９、４１０、４１１、４１２によりネジ止め固定する。
【０１０５】
これにより、図１７乃至図２０に示すように、取り付け板３００の下寄りの位置に第２の型の遊技機用基板ケース５５０が固定される。
【０１０６】
次に、取り付け板３００に取り付ける遊技機用基板ケースとして第２の型の遊技機用基板ケース５５０を用い、遊技機用基板ケース５５０を取り付け板３００の最も上側の位置に取り付ける場合について説明する。
【０１０７】
この場合、まず、スリット３０１の両脇の上から１番目の雌ネジ部３０３−１、３０４−１に第１のネジ止め部材３５１をネジ止め固定する。
【０１０８】
次に、スリット３０１の両脇の下から４番目の雌ネジ部３０３−５、３０４−５に第２のネジ止め部材３５２をネジ止め固定する。
【０１０９】
次に、スリット３０２の両脇の上から１番目の雌ネジ部３０５−１、３０６−１に第３のネジ止め部材３５３をネジ止め固定する。
【０１１０】
次に、スリット３０２の両脇の下から４番目の雌ネジ部３０５−５、３０６−５に第４のネジ止め部材３５４をネジ止め固定する。
【０１１１】
この後、第１乃至第４のネジ止め部材３５１、３５２、３５３、３５４にそれぞれ図２１に示す遊技機用基板ケース５５０の第１乃至第４のブラケット５６１、５６２、５６３、５６４をそれぞれネジ４０９、４１０、４１１、４１２によりネジ止め固定する。
【０１１２】
これにより、図２１乃至図２３に示すように、取り付け板３００の最も上側の位置に遊技機用基板ケース５５０が固定される。
【０１１３】
このような構成の組立調節機能付きケース装置５１１によれば、前記第１乃至第４のネジ止め部材３５１、３５２、３５３、３５４を第１乃至第８のネジ４０１、４０２…４０８によりネジ止め固定する取り付け板３００の雌ネジ部を、遊技機用基板ケース５５０の取り付け位置に合わせて選択することで、遊技機用基板ケース５５０の取り付け位置を少ない費用で変更することができるとともに、遊技機用基板ケースの縦方向のサイズを少ない費用で変更することができる。
【０１１４】
以下、図２４乃至図３４を用いて、本実施形態の第２の変形例を説明する。図２４は組立調節機能付きケース装置６１１の第３の型の遊技機用基板ユニット６１０を取り付け板３００の下寄りの位置に取り付けた状態のスロットマシン（図２参照）の背面側から見た斜視図である。図２５はネジ止め部材６５１の背面図である。図２６はネジ止め部材６５１の上面図である。図２７はネジ止め部材６５１の側面図である。図２８は組立調節機能付きケース装置６１１の第３の型の遊技機用基板ユニット６１０を取り付け板３００の下寄りの位置に取り付けた状態の背面図である。図２９は組立調節機能付きケース装置６１１の第３の型の遊技機用基板ユニット６１０を取り付け板３００の下寄りの位置に取り付けた状態の上面図である。図３０は組立調節機能付きケース装置６１１の第３の型の遊技機用基板ユニット６１０を取り付け板３００の下寄りの位置に取り付けた状態の側面図である。図３１は図２８のＥ−Ｅ線断面図である。図３２は組立調節機能付きケース装置６１１の第３の型の遊技機用基板ユニット６１０を取り付け板３００の上側の位置に取り付けた状態の背面図である。図３３は組立調節機能付きケース装置６１１の第３の型の遊技機用基板ユニット６１０を取り付け板３００の上側の位置に取り付けた状態の側面図である。図３４は図３２のＦ−Ｆ線断面図である。
【０１１５】
尚、図２４乃至図３４を用いた説明において、各部材の左側及び右側はそれぞれスロットマシン１の前面側から見た場合の左側及び右側を示しており、背面側から見た図２４、図２５、図２８、図３２では、図面に向かって左側が各部材の右側になっている。
【０１１６】
図２４及び図２８において、組立調節機能付きケース装置６１１は、遊技機用基板ユニットとして第３の型の遊技機用基板ユニット６１０を用い、第１乃至第４のネジ止め部材として横長型の第１乃至第４のネジ止め部材６５１、６５２、６５３、６５４を用いただけで、これ以外の構成は図４乃至図１６に示した組立調節機能付きケース装置１１と同様であり、同様の構成は同じ符号を付して説明を省略する。
【０１１７】
組立調節機能付きケース装置６１１は、遊技機用基板ケース６５０と、取り付け板３００と、第１乃至第４のネジ止め部材６５１、６５２、６５３、６５４と、第１乃至第１２のネジ４０１、４０２…４１２（図４参照）とを備えている。遊技機用基板ユニット６１０は、遊技機用基板ケース６５０及びこれに収納するサブ制御基板を図４乃至図１６に示した遊技機用基板ケース２５０及びサブ制御基板３０に比べて横方向を短く形成したものである。即ち、遊技機用基板ケース６５０は、上側のブラケット６６１、６６３から下側のブラケット６６２、６６４までの距離が図４乃至図１６に示した遊技機用基板ケース２５０のブラケット２６１、２６２、２６３、２６４の場合と同様であり、左側のブラケット６６１、６６２から右側の６６３、６６４までの距離が図４乃至図１６に示した遊技機用基板ケース２５０のブラケット２６１、２６２、２６３、２６４の場合よりも短くなっている。
【０１１８】
図２５乃至図２７において、第１のネジ止め部材６５１は、図６乃至図８に示した第１のネジ止め部材３５１より横長の板状に形成され、第１のネジ止め部材６５１の板状部６５１ａには前記第１のスリット３０１の左脇に形成された雌ネジ部３０３−１、３０３−２…３０３−８（図４参照）の列と取り付け板３００のスリット３０１から右に向かって二番目の雌ネジ部３０７−１、３０７−２…３０７−８（図４参照）の列との間の距離と同じ間隔で一方及び他方の側のネジ部挿入孔６５１ｂ、６５１ｃが形成されている。
【０１１９】
また、第１のネジ止め部材６５１は、板状部６５１ａの一方の板面に前記第１のブラケット６６１がネジ４０９によりネジ止めされる突起状のネジ止め部６５１ｄが形成され、板状部６５１ａの他方の板面に前記第１のスリット３０１に挿入される突起部６５１ｅが形成されている。
【０１２０】
第１のネジ止め部材６５１のネジ止め部６５１ｄは、板状部６５１ａの一面から突出して形成された突起部６５１ｆにネジ４０９のネジ部が螺入されるネジ孔６５１ｇを形成したものである。ネジ止め部６５１ｄは、突起部６５１ｅの逆の方向、即ち、取り付け板３００の中央側となるネジ部挿入孔６５１ｃ側に寄って配置している。
【０１２１】
尚、第２乃至第４のネジ止め部材６５２、６５３、６５４の構造も第１のネジ止め部材６５１のネジ止め部６５１ｄと同様の構造になっている。
【０１２２】
以下、組立調節機能付きケース装置６１１の組立方法について説明する。
まず、取り付け板３００に取り付ける遊技機用基板ケースとして第３の型の遊技機用基板ケース６５０を用い、遊技機用基板ケース６５０を取り付け板３００の下寄りの位置に取り付ける場合について説明する。
【０１２３】
この場合、まず、第１のネジ止め部材６５１の突起部６５１ｅをスリット３０１に挿入し、第１のネジ止め部材６５１の貫通孔６５１ｂをスリット３０１の左脇の上から４番目の雌ネジ部３０３−４（図４及び図２８参照）に合わせ、第１のネジ止め部材６５１の貫通孔６５１ｃをスリット３０１から右に向かって二番目で上から４番目の雌ネジ部３０７−４（図４及び図２８参照）に合わせ、ネジ４０１、４０２（図４及び図３１参照）のネジ部をそれぞれ貫通孔６５１ｂ、６５１ｃに挿入し、それぞれ雌ネジ部３０３−４、３０７−４に螺入することで、上から４番目の雌ネジ部３０３−４、３０７−４に第１のネジ止め部材６５１をネジ止め固定する。
【０１２４】
次に、スリット３０１の左脇の下から２番目の雌ネジ部３０３−７及びスリット３０１から右に向かって二番目で下から２番目の雌ネジ３０７−７（図４及び図２８参照）に第２のネジ止め部材６５２をネジ止め固定する。
【０１２５】
次に、スリット３０２の右脇の上から４番目の雌ネジ部３０６−４及びスリット３０２から左に向かって二番目で上から４番目の雌ネジ３０８−４（図４及び図２８参照）に第３のネジ止め部材６５３をネジ止め固定する。
【０１２６】
次に、スリット３０２の右脇の下から２番目の雌ネジ部３０６−７及びスリット３０２から左に向かって二番目で下から２番目の雌ネジ３０８−７（図４及び図２８参照）に第４のネジ止め部材６５４をネジ止め固定する。
【０１２７】
この後、第１乃至第４のネジ止め部材６５１、６５２、６５３、６５４にそれぞれ遊技機用基板ケース６５０の第１乃至第４のブラケット６６１、６６２、６６３、２６４（図２８参照）をそれぞれネジ４０９、４１０、４１１、４１２（図４及び図２８参照）によりネジ止め固定する。
【０１２８】
これにより、図２８乃至図３１に示すように、取り付け板３００の下寄りの位置に第３の型の遊技機用基板ケース６５０が固定される。
【０１２９】
次に、取り付け板３００に取り付ける遊技機用基板ケースとして第３の型の遊技機用基板ケース６５０を用い、遊技機用基板ケース６５０を取り付け板３００の最も上側の位置に取り付ける場合について説明する。
【０１３０】
この場合、まず、第１のネジ止め部材６５１の突起部６５１ｅをスリット３０１に挿入し、スリット３０１の左脇の上から１番目の雌ネジ部３０３−１及びスリット３０１から右に向かって二番目で上から１番目の雌ネジ３０７−１（図４及び図３２参照）に第１のネジ止め部材６５１をネジ止め固定する。
【０１３１】
次に、スリット３０１の左脇の上から４番目の雌ネジ部３０３−４及びスリット３０１から右に向かって二番目で上から４番目の雌ネジ３０７−４（図４及び図３２参照）に第２のネジ止め部材６５２をネジ止め固定する。
【０１３２】
次に、スリット３０２の右脇の上から１番目の雌ネジ部３０６−１及びスリット３０２から左に向かって二番目で上から１番目の雌ネジ３０８−１（図４及び図３２参照）に第３のネジ止め部材６５３をネジ止め固定する。
【０１３３】
次に、スリット３０２の右脇の上から４番目の雌ネジ部３０６−４及びスリット３０２から左に向かって二番目で上から４番目の雌ネジ３０８−４（図４及び図３２参照）に第４のネジ止め部材６５４をネジ止め固定する。
【０１３４】
これにより、図３２乃至図３４に示すように、取り付け板３００の最も上寄りの位置に第３の型の遊技機用基板ケース６５０が固定される。
【０１３５】
このような構成の組立調節機能付きケース装置６１１によれば、前記第１乃至第４のネジ止め部材６５１、６５２、６５３、６５４を第１乃至第８のネジ４０１、４０２…４０８によりネジ止め固定する取り付け板３００の雌ネジ部を、遊技機用基板ケース６５０の取り付け位置に合わせて選択することで、遊技機用基板ケース６５０の取り付け位置及び縦方向のサイズを少ない費用で変更することができるとともに、第１乃至第４のネジ止め部材６５１、６５２、６５３、６５４のネジ止め部６５１ｄ、６５２ｄ、６５３ｄ、６５４ｄの形成位置の選択幅が拡大し、遊技機用基板ケース６５０の横方向のサイズを少ない費用で変更でき、取り付け可能な遊技機用基板ケースのサイズの選択幅を拡大することができる。
【０１３６】
次に、図３５乃至図３９を参照して本発明の第２の実施形態について説明する。
図３５はスロットマシン１（図２参照）の背面側から見た組立調節機能付きケース装置の取り付け板７００の斜視図である。図３６はスロットマシン１（図２参照）の前面側から見た組立調節機能付きケース装置の取り付け板７００の斜視図である。図３７は取り付け板７００の背面図である。図３８は取り付け板７００の上面図である。図３９は取り付け板７００の側面図である。
【０１３７】
尚、図３５乃至図３９を用いた説明において、各部材の左側及び右側はそれぞれスロットマシン１の前面側から見た場合の左側及び右側を示しており、背面側から見た図３５及び図３７では、図面に向かって左側が各部材の右側になっている。
【０１３８】
図３５乃至図３９において、取り付け板７００は、上下方向に延びる第１及び第２のスリット３０１、３０２が左右に並べて平行に形成されるとともに、当該第１及び第２のスリット３０１、３０２のそれぞれの両脇に沿ってネジ部螺入用長孔７０３、７０４、７０５、７０６が形成されている。取り付け板７００に形成したネジ部螺入用長孔７０４の右脇には、さらに別のネジ部螺入用長孔７０７が平行に形成されている。取り付け板７００に形成したネジ部螺入用長孔７０５の左脇には、さらに別のネジ部螺入用長孔７０８が平行に形成されている。
【０１３９】
また取り付け板７００は、図４に示した取り付け板３００と同様に、四隅近傍にネジのネジ部が挿入されるネジ部挿入孔３０９ａ、３０９ｂ、３０９ｃ、３０９ｄが形成されている。
【０１４０】
図３６、図３８及び図３９において、取り付け板７００の前面には、ネジ部螺入用長孔７０３、７０４…７０８に対応する位置に突出部７１０が形成されており、突出部７１０の内側がネジ部螺入用長孔７０３、７０４…７０８となっている。
【０１４１】
ネジ部螺入用長孔７０３には、ネジ止め部材同士が干渉し合わない限り上下どの位置からでも、図４に示す第１及び第２のネジ止め部材３５１、３５２の一方の側のネジ部挿入孔３５１ｂ、３５２ｂに挿入されたネジ４０１、４０３のネジ部が螺入可能になっている。
【０１４２】
また、ネジ部螺入用長孔７０３には、ネジ止め部材同士が干渉し合わない限り上下のいかなる位置からでも、図２４及び図２５に示す第１のネジ止め部材６５１の一方の側のネジ部挿入孔６５１ｂ及び第２のネジ止め部材６５２の一方の側のネジ部挿入孔に挿入されたネジ４０１、４０３のネジ部が螺入可能になっている。
【０１４３】
ネジ部螺入用長孔７０４には、ネジ止め部材同士が干渉し合わない限り上下のいかなる位置からでも、図４に示す第１及び第２のネジ止め部材３５１、３５２の他方の側のネジ部挿入孔３５１ｃ、３５２ｃに挿入されたネジ４０２、４０４のネジ部が螺入可能になっている。
【０１４４】
ネジ部螺入用長孔７０７には、ネジ止め部材同士が干渉し合わない限り上下のいかなる位置からでも、図２４及び図２５に示す第１のネジ止め部材６５１の他方の側のネジ部挿入孔６５１ｃ及び第２のネジ止め部材６５２の他方の側のネジ部挿入孔に挿入されたネジ４０２、４０４のネジ部が螺入可能になっている。
【０１４５】
ネジ部螺入用長孔７０５には、ネジ止め部材同士が干渉し合わない限り上下のいかなる位置からでも、図４に示す第３及び第４のネジ止め部材３５３、３５４の一方の側のネジ部挿入孔３５３ｂ、３５４ｂに挿入されたネジ４０５、４０７のネジ部が螺入可能になっている。
【０１４６】
ネジ部螺入用長孔７０６には、ネジ止め部材同士が干渉し合わない限り上下のいかなる位置からでも、図４に示す第３及び第４のネジ止め部材３５３、３５４の他方の側のネジ部挿入孔３５３ｃ、３５４ｃに挿入されたネジ４０６、４０８ネジ部が螺入可能になっている。
【０１４７】
また、ネジ部螺入用長孔７０６には、ネジ止め部材同士が干渉し合わない限り上下のいかなる位置からでも、図２４及び図２８に示す第３及び第４のネジ止め部材６５３、６５４の他方の側のネジ部挿入孔に挿入されたネジ４０６、４０８のネジ部が螺入可能になっている。
【０１４８】
ネジ部螺入用長孔７０８には、ネジ止め部材同士が干渉し合わない限り上下のいかなる位置からでも、図２４及び図２８に示す第３及び第４のネジ止め部材６５３、６５４の一方の側のネジ部挿入孔に挿入されたネジ４０５、４０７のネジ部が螺入可能になっている。
【０１４９】
このような構成の取り付け板７００によれば、図４に示す第１及び第４のネジ止め部材３５１、３５２、３５３、３５４をネジ部螺入用長孔７０３、７０４、７０５、７０６の適切な位置にネジ止め固定することで、図４に示す第１の型の遊技機用基板ケース２５０及び図７に示す第２の型の遊技機用基板ケース５５０を上下方向の取り付け位置を無段階で調整可能な状態で取り付けることができる。
【０１５０】
また、図２４及び図２８に示す第１及び第４のネジ止め部材６５１、６５２、６５３、６５４をネジ部螺入用長孔７０３、７０４、７０７、７０８の適切な位置にネジ止め固定することで、図２４に示す第３の型の遊技機用基板ケース６５０を上下方向の取り付け位置を無段階で調整可能な状態で取り付けることができる。
【０１５１】
また、本実施形態によれば、遊技機用基板ケース２５０、５５０、６５０のブラケットの上下方向の間隔は、ネジ部螺入用長孔７０３、７０４、７０５、７０６により制限される範囲内で無段階に設定可能である。
【０１５２】
尚、図１乃至図３９に示した実施形態及びその変形例では、本発明を遊技機としてのスロットマシンに配設されてサブ制御基板を収納する組立調節機能付きケース装置に適用したが、スロットマシンやパチンコ機の液晶パネル等、他の電子部品を収納する遊技機の組立調節機能付きケース装置に適用してもよい。
【産業上の利用可能性】
【０１５３】
本発明は、スロットマシンのサブ制御基板を収納する組立調節機能付きケース装置に限らず、スロットマシンやパチンコ機の液晶パネル等、他の電子部品を収納する遊技機の組立調節機能付きケース装置にも応用することができる。
【図面の簡単な説明】
【０１５４】
【図１】図１は、本発明の一実施形態によるスロットマシンの外観構造を表した斜視図である。
【図２】図２は、本発明の一実施形態によるスロットマシンの内部構造を表した図である。
【図３】図３は、本発明の一実施形態によるスロットマシンの制御システムを表したブロック図である。
【図４】図４は、本発明の一実施形態によるスロットマシンの背面側から見た組立調節機能付きケース装置の分解斜視図である。
【図５】図５は、本発明の一実施形態によるスロットマシンの前面側から見た組立調節機能付きケース装置の分解斜視図である。
【図６】図６は、本発明の一実施形態によるネジ止め部材の背面図である。
【図７】図７は、本発明の一実施形態によるネジ止め部材の上面図である。
【図８】図８は、本発明の一実施形態によるネジ止め部材の側面図である。
【図９】図９は、本発明の一実施形態によるスロットマシンの背面側から見た組立調節機能付きケース装置の組み立てた状態の斜視図である。
【図１０】図１０は、本発明の一実施形態による組立調節機能付きケース装置の組み立てた状態の背面図である。
【図１１】図１１は、本発明の一実施形態による組立調節機能付きケース装置の組み立てた状態の上面図である。
【図１２】図１２は、本発明の一実施形態による組立調節機能付きケース装置の組み立てた状態の側面図である。
【図１３】図１３は、図７のＡ−Ａ線断面図である。
【図１４】図１４は、本発明の一実施形態による組立調節機能付きケース装置の第１の型の遊技機用基板ユニットを取り付け板の上側の位置に取り付けた状態の背面図である。
【図１５】図１５は、本発明の一実施形態による組立調節機能付きケース装置の第１の型の遊技機用基板ユニットを取り付け板の上側の位置に取り付けた状態の側面図である。
【図１６】図１６は、図１４のＢ−Ｂ線断面図である。
【図１７】図１７は、本発明の一実施形態の第１の変形例による組立調節機能付きケース装置の第２の型の遊技機用基板ユニットを取り付け板の下寄りの位置に取り付けた状態の背面図である。
【図１８】図１８は、本発明の一実施形態の第１の変形例による組立調節機能付きケース装置の第２の型の遊技機用基板ユニットを取り付け板の下寄りの位置に取り付けた状態の上面図である。
【図１９】図１９は、本発明の一実施形態の第１の変形例による組立調節機能付きケース装置の第２の型の遊技機用基板ユニットを取り付け板の下寄りの位置に取り付けた状態の側面図である。
【図２０】図２０は、図１７のＣ−Ｃ線断面図である。
【図２１】図２１は、本発明の一実施形態の第１の変形例による組立調節機能付きケース装置の第２の型の遊技機用基板ユニットを取り付け板の上側の位置に取り付けた状態の背面図である。
【図２２】図２２は、本発明の一実施形態の第１の変形例による組立調節機能付きケース装置の第２の型の遊技機用基板ユニットを取り付け板の上側の位置に取り付けた状態の側面図である。
【図２３】図２３は、本発明の一実施形態の第１の変形例による図２３のＤ−Ｄ線断面図である。
【図２４】図２４は、本発明の一実施形態の第２の変形例による組立調節機能付きケース装置の第３の型の遊技機用基板ユニットを取り付け板の下寄りの位置に取り付けた状態のスロットマシン（図２参照）の背面側から見た斜視図である。
【図２５】図２５は、本発明の一実施形態の第２の変形例によるネジ止め部材の背面図である。
【図２６】図２６は、本発明の一実施形態の第２の変形例によるネジ止め部材の上面図である。
【図２７】図２７は、本発明の一実施形態の第２の変形例によるネジ止め部材の側面図である。
【図２８】図２８は、本発明の一実施形態の第２の変形例による組立調節機能付きケース装置の第３の型の遊技機用基板ユニットを取り付け板の下寄りの位置に取り付けた状態の背面図である。
【図２９】図２９は、本発明の一実施形態の第２の変形例による組立調節機能付きケース装置の第３の型の遊技機用基板ユニットを取り付け板の下寄りの位置に取り付けた状態の上面図である。
【図３０】図３０は、本発明の一実施形態の第２の変形例による組立調節機能付きケース装置の第３の型の遊技機用基板ユニットを取り付け板の下寄りの位置に取り付けた状態の側面図である。
【図３１】図３１は、本発明の一実施形態の第２の変形例による図２８のＥ−Ｅ線断面図である。
【図３２】図３２は、本発明の一実施形態の第２の変形例による組立調節機能付きケース装置の第３の型の遊技機用基板ユニットを取り付け板の上側の位置に取り付けた状態の背面図である。
【図３３】図３３は、本発明の一実施形態の第２の変形例による組立調節機能付きケース装置の第３の型の遊技機用基板ユニットを取り付け板の上側の位置に取り付けた状態の側面図である。
【図３４】図３４は、本発明の一実施形態の第２の変形例による図３２のＦ−Ｆ線断面図である。
【図３５】図３５は、本発明の一実施形態の第２の変形例によるスロットマシンの背面側から見た組立調節機能付きケース装置の取り付け板の斜視図である。
【図３６】図３６は、本発明の他の実施形態によるスロットマシンの前面側から見た組立調節機能付きケース装置の取り付け板の斜視図である。
【図３７】図３７は、本発明の他の実施形態による取り付け板の背面図である。
【図３８】図３８は、本発明の他の実施形態による取り付け板の上面図である。
【図３９】図３９は、本発明の他の実施形態による取り付け板の側面図である。
【符号の説明】
【０１５５】
１…スロットマシン、２…筐体、３…前扉、４…上部パネル部、
５…下部パネル部、６…受皿ユニット、６ａ…受皿部、７…操作卓、
１０…遊技機用基板ユニット、１１…組立調節機能付きケース装置、
２０…主制御基板、２１…ホッパ装置、２２…補助貯留部、
２３…主電源装置、２４…電源装置基板、２５…外部集中端子基板、
３０…サブ制御基板、  ３１…発光駆動部、
３２ａ、３２ｂ…スピーカ、３３…中央表示基板、
３４…メダル選別装置、３５…ガイド部材、３６…ガイド部材、
３７…ガイド部材、３８ａ、３８ｂ…スピーカ、４０…枠状部、
４１…パネル面、４２…表示窓、４３…遊技状態表示部、
４４…ドットマトリクス表示部、４５…数値情報表示部、
４６…演出用照明部、４７ａ、４７ｂ…演出用放音部、
４８ａ…表示窓、４８…液晶表示装置、
４９ａ、４９ｂ…演出用照明部、６１…メダル払出口、
６２…演出用放音部、７１…メダル投入部、
７１ａ…メダル投入口、７２、７３、７４…ベットボタン、
７５…スタートレバー、７６ａ、７６ｂ、７６ｃ…ストップボタン、
７７…精算ボタン、７８…鍵穴、１００…リールユニット、
１０１ａ、１０１ｂ、１０１ｃ…リール、
１２０ａ、１２０ｂ、１２０ｃ…基準位置センサ、
２００…ＣＰＵ、２０１…記憶部、
２０２…システムプログラム、２０３…入賞抽選テーブル、
２０４…内部抽選フラグ、２１０…メダルクレジット手段、
２３０…演出装置、２５０…遊技機用基板ケース、
２５１、２５２、２５３、２５４、２５５、２５６…板状部、
２５３ａ、２５４ａ、２５５ａ、２５６ａ…側壁、
２６１、２６２、２６３、２６４…ブラケット、
２６１ａ、２６２ａ、２６３ａ、２６４ａ…貫通孔、
２７１…ケース本体部材、２７２…ケース蓋部材、
２８１、２８２…開口部、２８３、２８４…基板側コネクタ、
３００…取り付け板、３０１、３０２…第１及び第２のスリット、
３０３−１、３０３−２…３０３−８…雌ネジ部、
３０４−１、３０４−２…３０４−８…雌ネジ部、
３０５−１、３０５−２…３０５−８…雌ネジ部、
３０６−１、３０６−２…３０６−８…雌ネジ部、
３０７−１、３０７−２…３０７−８…雌ネジ部、
３０８−１、３０８−２…３０８−８…雌ネジ部、
３５１、３５２、３５３、３５４…第１及び第４のネジ止め部材、
３０９ａ、３０９ｂ、３０９ｃ、３０９ｄ…ネジ部挿入孔、
３１０…突起部、３５１ａ、３５２ａ、３５３ａ、３５４ａ…板状部、
３５１ｂ、３５１ｃ、３５２ｂ、３５２ｃ…ネジ部挿入孔、
３５３ｂ、３５３ｃ、３５４ｂ、３５４ｃ…ネジ部挿入孔、
３５１ｄ、３５２ｄ、３５３ｄ、３５４ｄ…ネジ止め部、
３５１ｅ、３５２ｅ、３５３ｅ、３５４ｅ、３５１ｆ…突起部、
３５１ｇ、３５２ｇ、３５３ｇ、３５４ｇ…ネジ孔、
４０１、４０２…４１２…ネジ、
５１０…組立調節機能付きケース装置、
５１１…、遊技機用基板ユニット、
５５０…遊技機用基板ケース、
５６１、５６２、５６３、５６４…ブラケット、
６１１…組立調節機能付きケース装置、
６１０…遊技機用基板ユニット、６５０…遊技機用基板ケース、
６５１、６５２、６５３、６５４…第１乃至第４のネジ止め部材、
６６１、６６２、６６３、６６４…ブラケット、
６５１ａ…板状部、６５１ｂ、６５１ｃ…ネジ部挿入孔、
６５１ｄ…ネジ止め部、６５１ｅ…突起部、
６５１ｆ…突起部、６５１ｇ…ネジ孔、
７００…取り付け板、
７０３、７０４、７０５、７０６、７０７、７０８…ネジ部螺入用長孔、
７１０…突出部
【図１】
2007135826.tif 000003
【図２】
2007135826.tif 000004
【図３】
2007135826.tif 000005
【図４】
2007135826.tif 000006
【図５】
2007135826.tif 000007
【図６】
2007135826.tif 000008
【図７】
2007135826.tif 000009
【図８】
2007135826.tif 000010
【図９】
2007135826.tif 000011
【図１０】
2007135826.tif 000012
【図１１】
2007135826.tif 000013
【図１２】
2007135826.tif 000014
【図１３】
2007135826.tif 000015
【図１４】
2007135826.tif 000016
【図１５】
2007135826.tif 000017
【図１６】
2007135826.tif 000018
【図１７】
2007135826.tif 000019
【図１８】
2007135826.tif 000020
【図１９】
2007135826.tif 000021
【図２０】
2007135826.tif 000022
【図２１】
2007135826.tif 000023
【図２２】
2007135826.tif 000024
【図２３】
2007135826.tif 000025
【図２４】
2007135826.tif 000026
【図２５】
2007135826.tif 000027
【図２６】
2007135826.tif 000028
【図２７】
2007135826.tif 000029
【図２８】
2007135826.tif 000030
【図２９】
2007135826.tif 000031
【図３０】
2007135826.tif 000032
【図３１】
2007135826.tif 000033
【図３２】
2007135826.tif 000034
【図３３】
2007135826.tif 000035
【図３４】
2007135826.tif 000036
【図３５】
2007135826.tif 000037
【図３６】
2007135826.tif 000038
【図３７】
2007135826.tif 000039
【図３８】
2007135826.tif 000040
【図３９】
2007135826.tif 000041